(57)【要約】【目的】足場板側に何の加工も施す必要がなく、在来の足場板をそのまま使用できると共に、足場板への幅木の取付け及び取外しを簡単容易に行える幅木取付装置を提供する。【解決手段】足場板１の側縁部５上に起立姿勢に配置される足場板用幅木３を取り付ける幅木装置であって、足場用建枠の横材２を挟んでその両側に対向配置される両足場板１，１の対向端部上面に亘って支持される装置本体３を有し、装置本体３の中央部には前記横材２を足場板掛止用フック８の内側面近傍位置で掴持する掴持手段９を設け、装置本体３の両端部には、各足場板１の外側端面６に支持されるアウトガイド１０と、足場板用幅木３の一端部を嵌挿して各足場板用幅木３を起立姿勢に保持する幅木端部嵌挿部１１とを設けてなる。【選択図】        図１
2005042308.tif 000002
【特許請求の範囲】
【請求項１】
足場板の側縁部上に起立姿勢に配置される足場板用幅木を取り付ける幅木装置であって、足場用建枠の横材を挟んでその両側に対向配置される両足場板の対向端部上面に亘って支持される装置本体を有し、装置本体の中央部には前記横材を足場板掛止用フックの内側面近傍位置で掴持する掴持手段を設け、装置本体の両端部には、各足場板の外側端面に支持されるアウトガイドと、足場板用幅木の一端部を嵌挿して各足場板用幅木を起立姿勢に保持する幅木端部嵌挿部とを設けてなる幅木取付装置。
【請求項２】
掴持手段は、夫々下端部に掴持用フック部を形成し、両掴持用フック部が足場用建枠の横材を掴持する閉鎖位置と横材を解放する開放位置とに開閉自在に装置本体に枢着された一対の掴持アームと、両掴持アームの両掴持用フック部を閉鎖位置に付勢するバネと、両掴持アームの両掴持用フック部を閉鎖位置に固定するロック手段とからなる請求項１に記載の幅木取付装置。
【請求項３】
両掴持用フック部の下端部には、両掴持用フック部の下端部を上方より足場用建枠の横材に押し当てることにより両掴持用フック部をバネの付勢力に抗して開放させるように案内するテーパガイドを設けてなる請求項１又は２に記載の幅木取付装置。
【請求項４】
ロック手段は、掴持アームの枢着部を挟んで掴持用フック部と反対側の操作用端部間で装置本体に回転自在に取り付けられた略長円形の回転カム体と、回転カム体を回転操作する操作レバーとからなるもので、回転カム体をその長手方向が掴持アームと直交するように回転操作することにより、両操作用端部の対向方向への揺動を阻止して両掴持用フック部を閉鎖位置にロックし、その長手方向が掴持アームと平行するように回転操作することによってロック解除するようになっている請求項２又は３に記載の幅木取付装置。
【発明の詳細な説明】
【０００１】
【発明の属する技術分野】
本発明は、建築現場等で仮設される足場板にその長手方向側縁部に沿って幅木を取り付けるための幅木取付装置に関する。
【０００２】
【従来の技術及びその課題】
建築現場等における足場板上での高所作業では、作業者の手にしたボルト・ナット、金具類等の種々の施工用部品や工具類、足元に置いた各種資材や用具等を誤って落下させ、事故につながるという危険性が常に付きまとう。そこで、安全対策として、足場板の側縁部に添って幅木を取り付けることが行われているが、従来、足場板用幅木を足場板に取り付けるにあたって、足場板の幅木取付部位にボルト孔等を開けるなど足場板側に何らかの加工を施す必要があるため、在来の足場板をそのまま使用できない難点があり、また足場板用幅木の構成が複雑で、足場板への取り付けに手間がかかるという問題があった。
【０００３】
本発明は、足場板側に何の加工も施す必要がなく、在来の足場板をそのまま使用できると共に、足場板への幅木の取付け及び取外しを簡単容易に行える幅木取付装置を提供することを目的とする。
【０００４】
【課題を解決するための手段】
請求項１に係る発明の幅木取付装置は、足場板１の側縁部５上に起立姿勢に配置される足場板用幅木３を取り付ける幅木装置であって、足場用建枠の横材２を挟んでその両側に対向配置される両足場板１，１の対向端部上面に亘って支持される装置本体３を有し、装置本体３の中央部には前記横材２を足場板掛止用フック８の内側面近傍位置で掴持する掴持手段９を設け、装置本体３の両端部には、各足場板１の外側端面６に支持されるアウトガイド１０と、足場板用幅木３の一端部を嵌挿して各足場板用幅木３を起立姿勢に保持する幅木端部嵌挿部１１とを設けてなることを特徴とする。
【０００５】
請求項２は、請求項１に記載の幅木取付装置において、掴持手段９は、夫々下端部に掴持用フック部１３を形成し、両掴持用フック部１３，１３が足場用建枠の横材２を掴持する閉鎖位置と横材２を解放する開放位置とに開閉自在に装置本体３に枢着された一対の掴持アーム１２，１２と、両掴持アーム１２，１２の両掴持用フック部１３，１３を閉鎖位置に付勢するバネ１５と、両掴持アーム１２，１２の両掴持用フック部１３，１３を閉鎖位置に固定するロック手段１６とからなることを特徴とする。
【０００６】
請求項３は、請求項１又は２に記載の幅木取付装置において、両掴持用フック部１３，１３の下端部には、両掴持用フック部１３の下端部を上方より足場用建枠の横材２に押し当てることにより両掴持用フック部１３，１３をバネ１５，１５の付勢力に抗して開放させるように案内するテーパガイド１７，１７を設けてなることを特徴とする。
【０００７】
請求項４は、請求項２又は３に記載の幅木取付装置において、ロック手段１６は、掴持アーム１２，１２の枢着部１４，１４を挟んで掴持用フック部１３，１３と反対側の操作用端部１８，１８間で装置本体３に回転自在に取り付けられた略長円形の回転カム体１９と、回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっていることを特徴とする。
【０００８】
【発明の実施の形態】
図１は本発明に係る幅木取付装置Ａの使用状態を示す斜視図、図２の（ａ）  は幅木取付装置Ａの正面図、（ｂ）  は側面図、図３は幅木取付装置Ａの平面図であり、また図４は幅木取付装置Ａの一部縦断面正面図である。この幅木取付装置Ａは、足場用建枠の横材２を挟んでその両側に対向配置される両足場板１，１の対向端部上面に亘って支持される装置本体３を有する。この装置本体３の中央部には、足場用建枠の横材２を足場板掛止用フック８の内側面近傍位置で掴持する掴持手段９が設けられ、この掴持手段９を挟んで装置本体３の両端部には、各足場板１の外側端面６に支持されるアウトガイド１０と、足場板用幅木３の一端部を嵌挿して各足場板用幅木４を起立姿勢に保持する幅木端部嵌挿部１１とが設けられている。
【０００９】
上記幅木取付装置Ａの構造について更に詳しく説明すれば、装置本体３は、平面視略コ字状の主体部３ａと、この主体部３ａの両端部に連設された端板部３ｂ，３ｂとからなるもので、主体部３ａは、中空状に形成されると共に、両側の端板部３ｂ，３ｂに対して前方へ一段突き出るように形成されている。しかして、主体部３ａ側に掴持手段９が設けられ、各端板部３ｂ側に幅木端部嵌挿部１１が形成され、また各端板部３ｂの背面側外端部にはアウトガイド１０が端板部３ｂの下端から所要長さ突出するように固着されている。幅木端部嵌挿部１１は、底部１１ａ付きの溝形に形成されている。尚、幅木端部嵌挿部１１の底部１１ａは無くてもよい。
【００１０】
掴持手段９は、図４更には図５から分かるうよに、夫々下端部に掴持用フック部１３を形成し、両掴持用フック部１３，１３が足場用建枠の横材２を掴持する閉鎖位置とその横材２を解放する開放位置とに開閉自在に枢軸１４，１４で装置本体３の主体部３ａに枢着された一対の掴持アーム１２，１２と、両掴持アーム１２，１２の両掴持用フック部１３，１３を閉鎖位置に付勢するバネ１５，１５と、両掴持アーム１２，１２の両掴持用フック部１３，１３を閉鎖位置に固定するロック手段１６とによって構成されるもので、バネ１５は掴持アーム１２の上端部と主体部３ａとの間に介装されたコイルバネからなる。
【００１１】
また図５から分かるように、両掴持用フック部１３，１３の夫々下端部には、両掴持用フック部１３，１３の下端部を上方より足場用建枠の横材２に押し当てることによって、閉鎖位置にある両掴持用フック部１３，１３をバネ１５の付勢力に抗して開放させるように案内するテーパガイド１７，１７が形成されている。
【００１２】
両掴持用フック部１３，１３を閉鎖位置に固定するロック手段１６は、図１〜図４に示すように、掴持アーム１２，１２の枢着部である枢軸１４，１４を挟んで掴持用フック部１３，１３と反対側の操作用端部１８，１８間で装置本体３に回転自在に取り付けられた略長円形の回転カム体１９と、この回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっている。
【００１３】
回転カム体１９は、枢軸２１によって装置本体３の主体部３ａに回転自在に取り付けられている。回転カム体１９を回転操作する操作レバー２０は、主体部３ａの正面側（足場板１への取付時に足場板１の内方に面する側）に配置されて、その基端部がビス２２によって回転カム体１９に一体的に連結されている。この操作レバー２０は、その長手方向が回転カム体１９の長手方向と一致するように回転カム体１９に連結されている。従って、操作レバー２０を回動して、図２の実線図示のように掴持アーム１２の長手方向と直交する向き、即ち横向きに位置させれば、回転カム体１９はロック位置に設定され、また操作レバー２０を掴持アーム１２と平行する縦向きに位置させれば、回転カム体１９はロック解除位置に設定される。
【００１４】
また、図１及び図２に示すように、装置本体３の主体部３ａの正面側には、操作レバー２０を横向き位置（回転カム体１９のロック位置）に位置決めするための位置決めストッパー２３が操作レバー２０の回動中心部の左右両側に設けられている。この位置決めストッパー２３は、主体部３ａに取り付けられる取付板部２３ｂと、この取付板部２３ｂの下端部に直角に突設されたストッパー本体部２３ａとからなるもので、操作レバー２０がストッパー本体部２３ａに当たることによって回転カム体１９のロック位置に位置決めされることになる。
【００１５】
また、位置決めストッパー２３の取付板部２３ｂには、操作レバー２０に設けられた係合孔２４が係合して操作レバー２０を回転カム体１９のロック位置に保持するための断面円弧状の係合突起２５が突設されている。図１及び図２の（ａ）には、操作レバー２０が位置決めストッパー２３によって回転カム体１９のロック位置に位置決めされていると共に、操作レバー２０側の係合突起２５とストッパー２３側の係合孔２４とによってその位置に保持さている状態を示す。
【００１６】
以上説明したように構成される幅木取付装置Ａを使用して足場板１に幅木３を取り付けるには、図１及び図６に示すように、先ず、装置本体３を、足場板１が架け渡された足場用建枠の横材２の端部上方に持ち来たして、この装置本体３をそのまま降ろしながら、主体部３ａに設けてある掴持手段９によって横材２を、足場板掛止用フック８の内側面近傍位置（図２の（ｂ）  参照）で掴持すると共に、装置本体３の両端板部３ｂ，３ｂを、横材２を挟んでその両側に対向配置される足場板１，１の対向端部上面に載置し、そして装置本体３の各端板部３ｂに取り付けてあるアウトガイド１０を足場板１の外側端面６に当接支持させる。この時、ロック手段１６の長円形状回転カム体１９は、図４の仮想線図示のように掴持アーム１２の長手方向と平行する位置にセットされて、ロック解除された状態にある。
【００１７】
掴持手段９により横材２を掴持するにあたっては、図５の（ａ）  に示すように、両掴持アーム１２，１２の両掴持用フック部１３，１３下端部を上方から足場用建枠の横材２に押し付けると、テーパガイド１７，１７の楔作用により両掴持用フック部１３，１３がバネ１５，１５の付勢力に抗して同図（ｂ）  に示すように開放されて自動的に横材２を掴持し、図４に示す状態となる。
【００１８】
こうしてロック手段１６の両掴持用フック部１３，１３が足場用建枠の横材２を掴持した後、操作レバー２０を図４の仮想線で示すロック解除位置から左右何れかの方向に９０°回動して、掴持アーム１２の長手方向と直交する横向き位置にセットすることより、両掴持アーム１２，１２の両掴持用フック部１３，１３は、図４の実線図示のように横材２を掴持する閉鎖位置にロックされる。
【００１９】
この後、図６に示すように、足場板用幅木４を足場板１の側縁部５の上方に持ち来たして、この幅木３の一端部を、装置本体３の端板部３ｂに形成されている幅木端部嵌挿部１１に挿入する。足場板用幅木４の他端部は、上記同様な要領で反対側の横材２に取り付けられる他の幅木取付装置Ａの装置本体３の幅木端部嵌挿部１１に挿入する。これにより、足場板用幅木４は、両幅木取付装置Ａ，Ａによって起立姿勢に保持された状態で足場板１の側縁部５に沿って取り付けられることになる。
【００２０】
上記のように、装置本体３の両端部である端板部３ｂ、３ｂを、足場用建枠の横材２を挟んでその両側に対向して架け渡された足場板１，１の対向端部上面に支持させると共に、装置本体３の中央部にある掴持手段９によって横材２を掴持し、更に装置本体３の両端板部３ｂ，３ｂに取り付けてあるアウトガイド１０，１０を足場板１，１の夫々外側端面６，６に当接支持させることによって、装置本体３は、両足場板１，１の対向端部上面に亘って安定状態に支持され、確固不動状態に固定される。
【００２１】
この場合、図２の（ｂ）  に示すように、掴持手段９は足場板１を横材２に掛止する足場板掛止用フック８の内側面近傍位置で横材２を掴持し、アウトガイド１０は足場板１の外側端面６に当接支持されるから、装置本体の足場板長手方向及び足場板幅方向の移動が阻止される。また、装置本体３が例えば足場板１の外側方へ転倒しようとすれば、その転倒が掴持手段９によって阻止され、また足場板１の内側方へ転倒しようとすれば、その転倒がアウトガイド１０によって阻止される。従って、装置本体３は、その両端部である端板部３ｂ、３ｂが両足場板１，１の対向端部上面に支持された状態で、確固不動の安定姿勢に保持されることになる。
【００２２】
このように両足場板１，１の対向端部上面に亘って確固不動の安定姿勢に保持される装置本体３に足場板用幅木４を取り付けるから、幅木３は、足場板１の側縁部５上に起立姿勢で安定状態に取り付けられることになる。特に、幅木３は、その端部を装置本体３の幅木端部嵌挿部１１に対して挿入すればよいから、在来の足場板１をそのまま使用できると共に、足場板１への幅木３の取付け及び取外しを簡単容易に行うことができる。
【００２３】
また、上述した幅木取付装置Ａの掴持手段９は、夫々下端部に掴持用フック部１３を形成し、掴持用フック部１３，１３が足場用建枠の横材２を掴持する閉鎖位置と横材２を解放する開放位置とに開閉自在に装置本体３に枢着された一対の掴持アーム１２，１２と、両掴持アーム１２，１２の両掴持用フック部１３，１３を閉鎖位置に付勢するバネ１５と、両掴持アーム１２，１２の両掴持用フック部１３，１３を閉鎖位置に固定するロック手段１６とによって構成されるため、掴持手段９の構造が簡単で、部品点数が少なく、その製作が容易であると共に、掴持用フック部１３，１３の開閉操作が容易で、横材２に対する掴持操作が容易となり、また故障が少なく、長期に亘って使用できるものである。
【００２４】
この場合、両掴持用フック部１３，１３の下端部に、両掴持用フック部１３の下端部を上方から足場用建枠の横材２に押し当てることによってバネ１５，１５の付勢力に抗して両掴持用フック部１３，１３を開放させるように案内するテーパガイド１７，１７を設けているから、横材２を掴持する際には、両掴持用フック部１３を上方から降ろして下端部を足場用建枠の横材２に押し当てるだけで、両掴持用フック部１３，１３が自動的に開放して横材２を迅速に掴持することができる。
【００２５】
また、上記掴持手段９のロック手段１６は、掴持アーム１２，１２の枢着部１４，１４を挟んで掴持用フック部１３，１３と反対側の操作用端部１８，１８間で装置本体３に回転自在に取り付けられる略長円形の回転カム体１９と、回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっているから、ロック手段１６の構造が極めて簡単で製作が容易となり、また故障が少なく長期に亘って使用可能となる。
【００２６】
【発明の効果】
請求項１に係る幅木取付装置によれば、装置本体の両端部である端板部を、足場用建枠の横材を挟んでその両側に対向して架け渡された足場板の対向端部上面に支持させると共に、装置本体の中央部にある掴持手段によって横材を掴持し、更に装置本体の両端板部に設けたアウトガイドを足場板の外側端面に当接支持させることによって、装置本体を、両足場板の対向端部上面に亘って安定状態に支持させ、不動状態に固定させることができる。
【００２７】
このように両足場板の対向端部上面に亘って不動の安定姿勢に固定される装置本体に足場板用幅木を取り付けるから、幅木を、足場板の側縁部上に起立姿勢で安定状態に取り付けることができる。特に、幅木は、その端部を装置本体の幅木端部嵌挿部に対して挿脱すればよいから、在来の足場板をそのまま使用できると共に、幅木の取付け及び取外しを簡単容易に行うことができる。
【００２８】
請求項２に係る幅木取付装置によれば、掴持手段の構造が簡単で部品点数が少なく、その製作が容易であると共に、掴持用フック部の開閉操作が容易で、横材に対する掴持操作が容易となり、また故障が少なく、長期に亘って使用できるものである。
【００２９】
請求項３に係る幅木取付装置によれば、足場用建枠の横材を掴持する際には、両掴持用フック部の下端部を上方より足場用建枠の横材に押し当てるだけで、両掴持用フック部が自動的に開放して横材を迅速に掴持することができる。
【００３０】
請求項４に係る幅木取付装置によれば、ロック手段の構造が極めて簡単で製作が容易となり、故障が少なく長期に亘って使用可能となる。
【図面の簡単な説明】
【図１】本発明に係る幅木取付装置の使用状態を示す斜視図である。
【図２】（ａ）  は幅木取付装置の正面図、（ｂ）  は側面図である。
【図３】幅木取付装置の平面図である。
【図４】幅木取付装置の一部縦断面正面図である。
【図５】掴持手段によって足場用建枠の横材を掴持している状態を示す説明図である。
【図６】装置本体への足場板用幅木の取付状態を示す説明図である。
【符号の説明】
１            足場板
２            足場用建枠の横材
３            装置本体
４            足場板用幅木
６            足場板の外側端面
８            足場板掛止用フック
９            掴持手段
１０          アウトガイド
１１          幅木端部嵌挿部
１２          掴持アーム
１３          掴持用フック部
１４          枢軸
１５          バネ
１６          ロック手段
１７          テーパガイド
１８          操作用端部
１９          回転カム体
２０          操作レバー
【図１】
2005042308.tif 000003
【図２】
2005042308.tif 000004
【図３】
2005042308.tif 000005
【図４】
2005042308.tif 000006
【図５】
2005042308.tif 000007
【図６】
2005042308.tif 000008